(57)【要約】【課題】ワンタッチで作業性よくヘッダーを固定することができるワンタッチ式ヘッダー固定金具を提供する。【解決手段】取付面に固定されるベースプレート１と、ベースプレート１に載置されたヘッダー１０に外嵌して前記ベースプレート１に着脱自在に締結される締結バンド２と、からなり、ベースプレート１には、ヘッダー１０の両側に対応する第１係止孔３１，３１と第２係止孔３２，３２が開設される一方、締結バンド２は、少なくともその一部が弾発性を有し、その両端部が外方に向けて折り返され、その折返部２ｃ，２ｃを第１係止孔３１，３１に対して押し込むワンタッチ動作で、折返部２ｃ，２ｃの上向係止片２ｄ，２ｄを、第２係止孔３２，３２に下方から係脱自在に弾発的に係入可能に構成している。【選択図】  図１
2006336411.tif 000002
【特許請求の範囲】
【請求項１】
取付面に固定されるベースプレート（１）と、
前記ベースプレート（１）に載置されたヘッダー（１０）に外嵌して前記ベースプレート（１）に着脱自在に締結される締結バンド（２）と、からなり、
前記ベースプレート（１）には、前記ヘッダー（１０）の両側に対応する係止孔（３）（３）が開設される一方、前記締結バンド（２）の端部には、前記係止孔（３）（３）に対して押込み方向のワンタッチ動作で係脱自在に弾発的に係止可能な係止爪（６）（６）が形成されることを特徴とするワンタッチ式ヘッダー固定金具。
【請求項２】
取付面に固定されるベースプレート（１）と、
前記ベースプレート（１）に載置されたヘッダー（１０）に外嵌して前記ベースプレート（１）に着脱自在に締結される締結バンド（２）と、からなり、
前記ベースプレート（１）には、前記ヘッダー（１０）の両側に対応する係止孔（３）（３）が開設される一方、前記締結バンド（２）は、前記ヘッダー（１０）を押さえる押え部（２ａ）の両側に複数対の脚部（２ｂ）を有し、該脚部（２ｂ）は、前記ヘッダー（１０）の接続口（１０ａ）に干渉しない間隔に設定され、かつ、前記脚部（２ｂ）の先端側には、前記係止孔（３）（３）に対して押込み方向のワンタッチ動作で係脱自在に弾発的に係止可能な係止爪（６）（６）が形成されることを特徴とするワンタッチ式ヘッダー固定金具。
【請求項３】
取付面に固定されるベースプレート（１）と、
前記ベースプレート（１）に載置されたヘッダー（１０）に外嵌して前記ベースプレート（１）に着脱自在に締結される締結バンド（２）と、からなり、
前記ベースプレート（１）には、前記ヘッダー（１０）の両側に対応する係止孔（３）（３）が開設される一方、前記締結バンド（２）の両端部が外方に向けて折り返され、その折返部（２ｃ）（２ｃ）には、該折返部（２ｃ）（２ｃ）を前記係止孔（３）（３）に対して押し込むワンタッチ動作で前記係止孔（３）（３）に係脱自在に弾発的に係止可能な係止爪（６）（６）が形成されることを特徴とするワンタッチ式ヘッダー固定金具。
【請求項４】
取付面に固定されるベースプレート（１）と、
前記ベースプレート（１）に載置されたヘッダー（１０）に外嵌して前記ベースプレート（１）に着脱自在に締結される締結バンド（２）と、からなり、
前記ベースプレート（１）には、前記ヘッダー（１０）の両側に対応する第１係止孔（３１）（３１）と第２係止孔（３２）（３２）が開設される一方、前記締結バンド（２）は、その両端部が外側に折り返され、その折返部（２ｃ）（２ｃ）を前記第１係止孔（３１）（３１）に対して押し込むワンタッチ動作で、前記折返部（２ｃ）（２ｃ）の上向係止片（２ｄ）（２ｄ）を、前記第２係止孔（３２）（３２）に下方から係脱自在に弾発的に係入可能に構成したことを特徴とするワンタッチ式ヘッダー固定金具。
【請求項５】
前記締結バンド（２）における前記係止爪（６）（６）よりも上方の位置には、押し込み用の掛止片（９）（９）が外方に向けて突設されることを特徴とする請求項１乃至３の何れかに記載のワンタッチ式ヘッダー固定金具。
【請求項６】
前記係止爪（６）は、切り起こしにより形成されることを特徴とする請求項１乃至３の何れかに記載のワンタッチ式ヘッダー固定金具。
【請求項７】
前記ベースプレート（１）の両側には、天井（１１）に固定された仮置き部材（１２）に形成された係止部（１２ａ）（１２ａ）に係止させるための被係止部（７ａ）（７ａ）が形成されることを特徴とする請求項１乃至６の何れかに記載のワンタッチ式ヘッダー固定金具。
【発明の詳細な説明】
【技術分野】
【０００１】
本発明は、住宅等における給水・給湯用の配管装置に用いられるヘッダーを固定するための金具に関する。
【背景技術】
【０００２】
近時は、住宅等における給水・給湯用の配管系の施工にヘッダーが用いられるようになった。ヘッダーを用いた配管施工では、ヘッダーに対して給水主管や給湯主管をそれぞれ接続する一方、ヘッダーに設けられている複数の接続口と各水回り設備に設けられている水栓とを分岐配管で接続するように行われ、そのヘッダーは、例えば、Ｕボルト等の締結部材により、壁面や床面等の取付面に固定されたり、別途設けられたヘッダーボックス内に固定状態に収納されたりしていた（例えば、特許文献１参照）。
【０００３】
【特許文献１】特開２００２−２５００５８公報
【発明の開示】
【発明が解決しようとする課題】
【０００４】
上述のように、施工現場でＵボルト等の締結部材を用いてヘッダーを取付面に固定する場合、締結工具を必要とするため、その取付作業が少なからぬ労力を要して面倒であり作業性がよくなかった。特に、狭隘な作業条件のよくない場所での取付作業は、大変な困難性を伴うこともあった。
【０００５】
また、最近では、複数の接続口のそれぞれが任意の方向に転回できるように構成した回転式ヘッダーも提案されているが、Ｕボルト等の締結部材を用いる場合、個々の接続口の向きを固定するためには、多数の締結部材を必要とし、作業性が一段と低下してしまうという問題があった。
【０００６】
本発明は、このような実情に鑑みてなされ、ワンタッチで作業性よくヘッダーを固定することができるワンタッチ式ヘッダー固定金具を提供することを目的とする。
【課題を解決するための手段】
【０００７】
（１）本発明のワンタッチ式ヘッダー固定金具は、取付面に固定されるベースプレート１と、
前記ベースプレート１に載置されたヘッダー１０に外嵌して前記ベースプレート１に着脱自在に締結される締結バンド２と、からなり、
前記ベースプレート１には、前記ヘッダー１０の両側に対応する係止孔３，３が開設される一方、前記締結バンド２の端部には、前記係止孔３，３に対して押込み方向のワンタッチ動作で係脱自在に弾発的に係止可能な係止爪６，６が形成されることを特徴とする。
【０００８】
このような構成によれば、ベースプレート１に載置したヘッダー１０に締結バンド２を外嵌させ、そのベースプレート１の係止孔３，３に対して係止爪６，６を押し込むワンタッチ動作で弾発的に係止させ、ヘッダー１０をベースプレート１に対して締結状態に固定することができる。なお、締結バンド２の形状は、例えば、略Ｕ字状、コ字状、一端開放の多角形状等々適宜な形状が選択されてよい。また、係止爪６は、締結バンド２の両端部に設けられてもよく、片側の端部にのみ設けられてもよい。
【０００９】
（２）本発明の別のワンタッチ式ヘッダー固定金具は、取付面に固定されるベースプレート１と、
前記ベースプレート１に載置されたヘッダー１０に外嵌して前記ベースプレート１に着脱自在に締結される締結バンド２と、からなり、
前記ベースプレート１には、前記ヘッダー１０の両側に対応する係止孔３，３が開設される一方、前記締結バンド２は、前記ヘッダー１０を押さえる押え部２ａの両側に複数対の脚部２ｂ，２ｂを有し、該脚部２ｂ，２ｂは、前記ヘッダー１０の接続口１０ａに干渉しない間隔に設定され、かつ、前記脚部２ｂ，２ｂの先端側には、前記係止孔３，３に対して押込み方向のワンタッチ動作で係脱自在に弾発的に係止可能な係止爪６，６が形成されることを特徴とする。
【００１０】
このような構成によれば、ベースプレート１に載置したヘッダー１０に締結バンド２を外嵌させ、そのベースプレート１の係止孔３，３に対して各脚部２ｂ，２ｂに設けられている係止爪６，６を押し込むワンタッチ動作で弾発的に係止させ、ヘッダー１０をベースプレート１に対して締結状態に固定することができる。その締結バンド２は複数対の脚部２ｂ，２ｂを有しているため、複数の接続口１０ａを有する長尺なヘッダー１０をもベースプレート１に安定に固定することができる。また、各脚部間２ｂ，２ｂの間隔が接続口１０ａと干渉しない間隔に設定されているため、回転式ヘッダーにも適用可能となる。なお、締結バンド２の形状は、例えば、略Ｕ字状、コ字状、一端開放の多角形状等々適宜な形状が選択されてよい。また、係止爪６，６は、締結バンド２の両端部に設けられてもよく、片側の端部にのみ設けられてもよい。
【００１１】
（３）取付面に固定されるベースプレート１と、
前記ベースプレート１に載置されたヘッダー１０に外嵌して前記ベースプレート１に着脱自在に締結される締結バンド２と、からなり、
前記ベースプレート１には、前記ヘッダー１０の両側に対応する係止孔３，３が開設される一方、前記締結バンド２の両端部が外方に向けて折り返され、その折返部２ｃ，２ｃには、該折返部２ｃ，２ｃを前記係止孔３，３に対して押し込むワンタッチ動作で前記係止孔３，３に係脱自在に弾発的に係止可能な係止爪６，６が形成されることを特徴とする。
【００１２】
このような構成によれば、ベースプレート１に載置したヘッダー１０に締結バンド２を外嵌させ、そのベースプレート１の係止孔３，３に対して締結バンド２の折返部２ｃ，２ｃを押し込むワンタッチ動作で係止爪６，６を係止孔３，３に弾発的に係止させ、ヘッダー１０をベースプレート１に対して締結状態に固定することができる。なお、締結バンド２の形状は、例えば、略Ｕ字状、コ字状、一端開放の多角形状等々適宜な形状が選択されてよい。また、係止爪６は、締結バンド２の両端部に設けられてもよく、片側の端部にのみ設けられてもよい。
【００１３】
（４）取付面に固定されるベースプレート１と、
前記ベースプレート１に載置されたヘッダー１０に外嵌して前記ベースプレート１に着脱自在に締結される締結バンド２と、からなり、
前記ベースプレート１には、前記ヘッダー１０の両側に対応する第１係止孔３１，３１と第２係止孔３２，３２が開設される一方、前記締結バンド２は、少なくともその一部が弾発性を有し、その両端部が外側に折り返され、その折返部２ｃ，２ｃを前記第１係止孔３１，３１に対して押し込むワンタッチ動作で、前記折返部２ｃ，２ｃの上向係止片２ｄ，２ｄを、前記第２係止孔３２，３２に下方から係脱自在に弾発的に係入可能に構成したことを特徴とする。
【００１４】
このような構成によれば、ベースプレート１に載置したヘッダー１０に締結バンド２を外嵌させ、そのベースプレート１の第１係止孔３１，３１に対して締結バンド２の折返部２ｃ，２ｃを押し込むワンタッチ動作で、第２係止孔３２，３２に折返部２ｃ，２ｃの上向係止片２ｄ，２ｄを下方から弾発的に係脱自在に係入させ、ヘッダー１０をベースプレート１に対して締結状態に固定することができる。なお、締結バンド２の形状は、例えば、略Ｕ字状、コ字状、一端開放の多角形状等々適宜な形状が選択されてよい。また、係止爪６は締結バンド２の両端部に設けられてもよく片側の端部にのみ設けられてもよい。
【００１５】
（５）前記（１）乃至（３）項のワンタッチ式ヘッダー固定金具にあって、前記締結バンド２における前記係止爪６，６よりも上方の位置には、押し込み用の掛止片９，９が外方に向けて突設されてもよい。このようにすれば、締結バンド２の押込み作業が容易となる。
【００１６】
（６）前記係止爪６は、切り起こしにより形成されてもよい。このようにすれば、係止爪６を容易に形成することができる。
【００１７】
（７）前記ベースプレート１の両側には、天井１１に固定された仮置き部材１２に形成された係止部１２ａ，１２ａに係止させるための被係止部７ａ，７ａが形成されてもよい。このようにすれば、締結バンド２によってヘッダー１０をベースプレート１に固定した状態にて、そのベースプレート１を、仮置き部材に係止させることで、一時的に仮置くことができるため、天井１１への取付作業が容易となる。
【発明の効果】
【００１８】
（１）本発明に係るワンタッチ式ヘッダー固定金具は、ベースプレートに載置したヘッダーに締結バンドを外嵌させ、そのベースプレートの係止孔に対して係止爪を押し込むワンタッチ動作で、ヘッダーをベースプレートに対して締結状態に固定することができるので、締結工具を必要とせず、現場での配管施工の作業性が格段に向上する。
【００１９】
（２）本発明に係る別のワンタッチ式ヘッダー固定金具は、ベースプレートに載置したヘッダーに締結バンドを外嵌させ、そのベースプレートの係止孔に対して各脚部に設けられている係止爪を押し込むワンタッチ動作で、ヘッダーをベースプレートに対して締結状態に固定することができるので、締結工具を必要とせず、現場での配管施工の作業性が格段に向上する。また、その締結バンドは複数対の脚部を有し、各脚部間の間隔が接続口と干渉しない間隔に設定されているため、複数の接続口を有する長尺なヘッダーや回転式ヘッダーをもベースプレートに安定に固定することができる。
【００２０】
（３）本発明に係る異なるワンタッチ式ヘッダー固定金具は、ベースプレートに載置したヘッダーに締結バンドを外嵌させ、そのベースプレートの係止孔に対して締結バンドの折返部を押し込むワンタッチ動作で係止爪を係止孔に弾発的に係止させ、ヘッダーをベースプレートに対して締結状態に固定することができる。
【００２１】
（４）本発明に係る他のワンタッチ式ヘッダー固定金具は、ベースプレートに載置したヘッダーに締結バンドを外嵌させ、そのベースプレートの第１係止孔に対して締結バンドの折返部を押し込むワンタッチ動作で、第２係止孔に折返部の上向先端を下方から弾発的に係脱自在に係入させ、ヘッダーをベースプレートに対して締結状態に固定することができる。
【発明を実施するための最良の形態】
【００２２】
以下に、本発明の最良の実施の形態に係るワンタッチ式ヘッダー固定金具について図面を参照しつつ詳細に説明する。
〔実施の形態１〕
図１（ａ）はヘッダー１０をベースプレート１の組み付けた状態の平面図、（ｂ）は正面図、（ｃ）は側面図、図２（ａ）は締結バンド２の平面図、（ｂ）は正面図、（ｃ）は側面図、図３（ａ）はベースプレート１の平面図、（ｂ）は正面図、（ｃ）は側面図、図４（ａ）は異なるベースプレート１の平面図、（ｂ）は正面図、（ｃ）は側面図、である。これらの図に示すように、このワンタッチ式ヘッダー固定金具は、一般住宅等の建屋の壁面や床面等の取付面に固定されるベースプレート１と、ベースプレート１に載置されるヘッダー１０に外嵌してベースプレート１に着脱自在に締結される締結バンド２と、からなる。
【００２３】
ベースプレート１は、板金材からなり、図３（ａ）〜（ｃ）に示すように、ヘッダー１０の両側に対応する長孔状の第１係止孔３１，３１と第２係止孔３２，３２、がそれぞれ３対並設され、その中央部には、ヘッダー１０を安定に載置するための円弧状の溝４が形成されており、その両外側部は下方に折曲されてその下部に水平な取付面を有する取付フランジ５，５が形成され、その両端部には木ねじ又はボルトを挿通させるためのボルト孔５ａ，５ａが形成されている。
【００２４】
締結バンド２は、例えば、弾性を有する板金材からなり、図２（ａ）〜（ｃ）に示すように、断面が円弧状に形成された押え部２ａの両側に脚部２ｂが形成され、その両脚部２ｂ，２ｂの端部が外側に折り返され、その折返部２ｃ，２ｃには上向係止片２ｄ，２ｄが形成されている。この折返部２ｃ，２ｃをベースプレート１の第１係止孔３１，３１に対して押し込むワンタッチ動作で、上向係止片２ｄ，２ｄを、第２係止孔３２，３２に下方から弾発的に係脱自在に係入させることができる。その係止状態では、折返部２ｃ，２ｃが外方に付勢された状態で第１係止孔３１，３１の外側部に付勢当接している。
【００２５】
ヘッダー１０は、図１に二点鎖線で示すような５つの接続口１０ａがそれぞれが任意の方向に向きを設定できるように転回自在に構成された５連タイプの回転式ヘッダーであってもよく、各接続口の向きが固定されたヘッダーであっても構わない。その本体１０ｂの外側には、接続口１０ａを外部に突出させた状態で弾力性のある断熱材１０ｃが巻装されており、本体１０ｂの両端には、給水主管や給湯主管又は栓体を接続するための内ねじが形成された接続部１０ｄ，１０ｄが設けられている。なお、図１の例では、２つの締結バンド２で５連タイプのヘッダー１０を固定しており、断熱材１０ｃは、自由状態の外形を図示している。
【００２６】
その断熱材１０ｃは、通常の住宅用では１０ｍｍ厚程度のものが採用されるが、寒冷地用では、２０ｍｍ以上の厚さのものも採用される。何れの場合にも、断熱材１０ｃは、締結バンド２によって圧縮された状態に締め付けられるため、充分な締め付け効果が得られると共に、締結バンド２の折返部２ｃ，２ｃをベースプレート１の係止孔３１，３１に押し込む際の作業性も良好となり、別途、工具を必要とすることなく、ワンタッチの押込み動作で係止させることができる。また、締結バンド２を上から押さえ込んで両側の折返部２ｃ，２ｃを少し内方に押し込めば、上向係止片２ｄ，２ｄの係止孔３２，３２に対する係止状態を解除できるため、ヘッダー１０の固定位置の設定替えも容易である。従って、回転式ヘッダーの場合には、出荷時には、ヘッダー１０をベースプレート１に仮固定しておき現地で固定位置の設定替えや接続口１０ａの向きを調整することも容易に行える。
【００２７】
図４（ａ）〜（ｃ）は、ベースプレート１の異なる例を示す。この場合、取付フランジ５，５の両端部を本体側から切り離して下方に折曲してＬ字状の脚部５１，５１を形成している。このようなベースプレート１を用いることにより、ヘッダー１０を取付面から上方に離間させた状態に固定することができる。
【００２８】
〔実施の形態２〕
図５（ａ）は回転式ヘッダー１０をベースプレート１に組み付けた状態の想定したワンタッチ式ヘッダー固定金具の平面図、（ｂ）は正面図、（ｃ）は側面図、図６（ａ）は締結バンド２の平面図、（ｂ）は正面図、（ｃ）は側面図、図７（ａ）はベースプレート１の平面図、（ｂ）は正面図、（ｃ）は側面図である。これらの図に示すように、このワンタッチ式ヘッダー固定金具は、一般住宅等の建屋の壁面や床面等の取付面に固定されるベースプレート１と、ベースプレート１に載置されるヘッダー１０に外嵌してベースプレート１に着脱自在に締結される締結バンド２と、からなる。
【００２９】
ベースプレート１は、板金材からなり、図７（ａ）〜（ｃ）に示すように、ヘッダー１０の両側に対応する長孔状の係止孔３，３が３対開設され、その係止孔３，３に挟まれる中央部には、ヘッダー１０を安定に載置するための円弧状の溝４が形成されており、その両外側部は下方に折曲されてその下部に水平な取付面を有する取付フランジ５，５が形成され、その両端部には木ねじ又はボルトを挿通させるためのボルト孔５ａ，５ａが形成されている。
【００３０】
締結バンド２は、例えば、弾性を有する板金材からなり、図６（ａ）〜（ｃ）に示すように、断面が略Ｕ字状に形成され、断面が円弧状に形成された押え部２ａの両側に脚部２ｂが形成され、その両端部には、ベースプレート１の係止孔３，３に対して押込み方向のワンタッチ動作で係脱自在に係止可能な係止爪６，６が形成されている。その係止爪６は、切り起こしにより形成され、図示のように、先端のガイド部６ａと、矩形状に外方に斜めに向けて切り起こし形成された爪部６ｂからなる。
【００３１】
締結バンド２の形状は、図示のような逆Ｕ字状の他、例えば、コ字状、一端開放の多角形状等々適宜な形状が選択されてよい。また、係止爪６は、図示のように、締結バンド２の両側の脚部２ｂの端部に設けられてもよく、片側の脚部２ｂの端部にのみ設けられてもよい。片側の脚部２ｂの端部にのみ係止爪６を設ける場合には、図示は省略するが、例えば、他方の脚部２ｂの端部には、ベースプレート１の係止孔３に対して単に嵌め込んで係止させることができるような係止片等を形成しておき、その係止片を先にベースプレート１の係止孔３に係止させた後で、締結バンド２を回動させつつ係止爪６を係止孔３に押し込むようにすれば、ワンタッチ動作で締結バンド２をベースプレート１に対して固定することができる。
【００３２】
ヘッダー１０は、図５に二点鎖線で示すような５つの接続口１０ａがそれぞれが任意の方向に向きを設定できるように転回自在に構成された５連タイプの回転式ヘッダーであってもよく、各接続口の向きが固定されたヘッダーであっても構わない。その本体１０ｂの外側には、接続口１０ａを外部に突出させた状態で弾力性のある断熱材１０ｃが巻装されており、本体１０ｂの両端には、給水主管や給湯主管又は栓体を接続するための内ねじが形成された接続部１０ｄ，１０ｄが設けられている。なお、図５の例では、２つの締結バンド２で５連タイプのヘッダー１０を固定しており、断熱材１０ｃは、自由状態の外形を図示している。
【００３３】
その断熱材１０ｃは、前実施の形態と同様に、締結バンド２によって圧縮された状態に締め付けられるため、充分な締め付け効果が得られると共に、締結バンド２の係止爪６をベースプレート１の係止孔３に押し込む際の作業性も良好となり、別途、工具を必要とすることなく、ワンタッチの押込み動作で係止させることができる。また、締結バンド２の両側の脚部２ｂ，２ｂを少し内方に押し込めば、係止爪６の係止孔３に対する係止状態を解除できるため、ヘッダー１０の固定位置の設定替えも容易である。従って、回転式ヘッダーの場合には、出荷時には、ヘッダー１０をベースプレート１に仮固定しておき、現地で固定位置の設定替えや接続口１０ａの向きを調整することも容易に行える。
【００３４】
図８（ａ）〜（ｃ）は、ベースプレート１の異なる例を示す。この場合、円弧状の溝は形成していないが、取付フランジ５，５を本体の長手方向の両側に形成し、かつ、幅方向の両側を下方に折曲させて補強フランジ７，７を形成して全体をより高剛性に形成し、該補強フランジ７，７の中央部に、天井取付時の仮置き用の横孔（本発明の被係止部）７ａ，７ａを形成している。また、その取付フランジ５のボルト孔５ａの近傍には、嵩上げ部材８（図１０参照）を取り付けるためのリベット孔５ｂを形成している。
【００３５】
図９（ａ）〜（ｃ）は、締結バンド２の異なる例を示す。この場合、ワンタッチの押込み動作をより容易とするために、係止爪６，６の上方に、９０°外方に向けて矩形状に切り起こした掛止片９，９を形成している。締結バンド２をベースプレート１の係止孔３，３に押し込む際には、この掛止片９，９に手指を掛けることで、ワンタッチ動作をより一層確実かつ容易に行うことができる。
【００３６】
図１０（ａ）〜（ｃ）は、締結バンド２のさらに異なる例を示す。この場合、ヘッダー１０の断熱材１０ｃに対する押え面積を広くとれるように、押え部２ａを広幅に形成している。特に、回転式ヘッダーでは、各接続口１０ａ，１０ａ同士の連結部で分断されている断熱材１０ｃ，１０ｃ同士の合わせ目をこの押え部２ａで押さえ付けることで、断熱材１０ｃ，１０ｃのめくれ等を防止することができる。また、この場合、係止爪６は、切り起こしではなく、折り返しによってＶ字状に形成しているが、切り起こしによって形成してもよい。
【００３７】
図１１（ａ）は、締結バンド２の別の例を示す。この場合、寒冷地用の断熱材１０ｃに適用できるように、本体に内径を拡大した拡大円弧状部分２ｂを形成し、ベースプレート１の係止孔３，３に対応できるように、拡大円弧状部分２ｂの両終端を折曲してストレートに延長した両端部に係止爪６，６を形成している。図１１（ｂ）は、締結バンド２のさらに別の例を示す。この場合、係止爪６のガイド部６ａの先端をやや内方に折曲して、ベースプレート１の係止孔３への差し込みをより容易にしている。
【００３８】
〔実施の形態３〕
図１２（ａ）は締結バンド２１の平面図、（ｂ）は正面図、（ｃ）は側面図で、この実施の形態では、ヘッダー１０の少なくとも３つの接続口１０ａに対応する断熱材１０ｃを押えることができる程度に押え部２１ａを縦長状に形成し（図１４（ａ）（ｂ）参照）、その両側に２対の脚部２ｂ，２ｂを形成し、その両脚部２ｂ，２ｂ間の間隔に接続口１０ａを突出させることができるように、脚部２ｂ，２ｂ間の間隔が接続口１０ａと干渉しない間隔に設定されている。各脚部２ｂの端部には、ベースプレート１の係止孔３に対して押込み方向のワンタッチ動作で係脱自在に係止可能な係止爪６を形成している。なお、前実施の形態と同一又は同等部材については同一符号を付し、その説明を省略する。特に、ベースプレート１は、前実施の形態と共通のものを例示している。
【００３９】
図１３（ａ）は異なる締結バンド２２の平面図、（ｂ）は正面図、（ｃ）は側面図で、この例では、ヘッダー１０の少なくとも２つの接続口１０ａに対応する断熱材１０ｃを押えることができる程度に押え部２２ａを形成し（図１４（ａ）（ｂ）参照）、その両側に２対の脚部２ｂ，２ｂを形成し、その両脚部２ｂ，２ｂ間の間隙に接続口１０ａを突出させることができ、各脚部２ｂの端部には、ベースプレート１の係止孔３に対して押込み方向のワンタッチ動作で係脱自在に係止可能な係止爪６を形成している。
【００４０】
図１４は、５連（接続口１０ａが５つ）の回転式のヘッダー１０を、図１２に示す締結バンド２１と図１３に示す締結バンド２２とによってベースプレート１に組み付けた状態の想定した説明図で、（ａ）は平面図、（ｂ）は正面図、（ｃ）は側面図である。この場合、ベースプレート１の長手方向の両端に設けた取付フランジ５，５には、リベットｒによって段違い状に折曲された板金材からなる嵩上げ部材８を取り付けている。この場合は、嵩上げ部材８に設けたボルト孔８ａにボルトを挿通させて取付面に固定する。
【００４１】
この実施の形態においても、断熱材１０ｃは、締結バンド２１，２２によって圧縮された状態に締め付けられるため、充分な締め付け効果が得られると共に、締結バンド２の係止爪６をベースプレート１の係止孔３に押し込む際の作業性も良好となり、別途、工具を必要とすることなく、ワンタッチの押込み動作で係止させることができる。また、締結バンド２１，２２の両側の脚部２ｂ，２ｂを少し内方に押し込めば、係止爪６の係止孔３に対する係止状態を解除できるため、ヘッダー１０の固定位置の設定替えや接続口１０ａの向きの変更等も容易である。従って、回転式ヘッダーの場合には、出荷時には、ヘッダー１０をベースプレート１に仮固定しておき、現地で固定位置の設定替えや接続口１０ａの向きを調整することも容易である。
【００４２】
図１５は、ベースプレート１を天井１１に取り付けた場合を示し、（ａ）は正面図、（ｂ）は底面図、（ｃ）は側面図である。この場合、ベースプレート１の補強フランジ７，７の中央部に形成してある天井取付時の仮置き用の横孔７ａ，７ａを仮置き部材１２に係止させることで、一時的にベースプレート１を含めたヘッダー１０組付体を天井１１に仮置き状態として作業性よく取り付けることができる。仮置き部材１２は、図１６（ａ）〜（ｃ）に示されるように、矩形状の板金材からなる本体の片面に、ベースプレート１の横孔７ａ，７ａを嵌め込むための一対の係止片（本発明の係止部）１２ａ，１２ａを切り起こしによって形成し、かつ、その本体の両側にボルト孔１２ｂ、１２ｂを形成している。
【００４３】
このような仮置き部材１２を、係止片１２ａ，１２ａを下向きにして、まず、天井１１にボルト締結等によって固定しておき、予め締結バンド２１，２２によってヘッダー１０を一体化してあるベースプレート１の横孔７ａ，７ａを係止片１２ａ，１２ａに横方向からスライドさせることで嵌め込み係止させる。この状態では、ベースプレート１が天井１１に仮置き状態で吊り下げられている。次いで、ベースプレート１の取付フランジ５，５のボルト孔５ａ，５ａにボルトを挿通させて天井１１にねじ込むことで本締結（本固定）することができる。このように、ヘッダー１０を一体化したベースプレート１を一時的に天井１１に仮置きできるため、たとえ、各接続口１０ａに配管を接続した状態であっても、作業性よくベースプレート１を固定することができる。
【００４４】
〔実施の形態４〕
図１７（ａ）は締結バンド２の平面図、（ｂ）は正面図、（ｃ）は底面図、（ｄ）は側面図で、この実施の形態では、特に、締結バンド２の抜け止め効果の向上を図り、例えば、図７に示すベースプレート１を使用することができる。この締結バンド２は、弾性材からなり、脚部２ｂ，２ｂの両端部が外方に向けて折り返され、その折返部２ｃ，２ｃには、該折返部２ｃ，２ｃを前記係止孔３，３に対して押し込むワンタッチ動作で前記係止孔３，３に係脱自在に弾発的に係止可能な係止爪６，６が切り起こし等によって形成されている。
【００４５】
このような構成によれば、ベースプレート１に載置したヘッダー１０に締結バンド２を外嵌させ、そのベースプレート１の係止孔３，３に対して締結バンド２の（ガイド部となる）折返部２ｃ，２ｃを押し込むワンタッチ動作で係止爪６，６を係止孔３，３に弾発的に係止させ、ヘッダー１０をベースプレート１に対して締結状態に固定することができる。その係止状態では、係止爪６，６が弾発力の高い折返部２ｃ，２ｃに形成されているため、係止孔３，３に対して強い抜け止め効果を得ることができる。なお、締結バンド２の形状は、前実施の形態と同様に、例えば、略Ｕ字状、コ字状、一端開放の多角形状等々適宜な形状が選択されてよい。
【００４６】
なお、本発明は、実施の形態に限定されることなく、発明の要旨を逸脱しない限りにおいて、設計変更や改良等は自由であり、例えば、実施の形態２においては、締結バンド２１，２２には、脚部２ｂ，２ｂを３対以上設けてもよく、ベースプレート１には、係止孔３，３を４対以上設けてもよい。ベースプレート１に設ける被係止部７ａは横孔に限らず、係止部１２ａを係止させることができれば、切り起こし等により形成された被係止片であってもよい。また、係止部１２ａを横孔に形成して、被係止部７ａを横孔に係止させることができる係止片としてもよい。そして、係止爪６は、切り起こし以外に、例えば、曲げや絞り、切り出し等の板金加工の他、スポット溶接、ボルト締結、打鋲等によって別部材として形成した爪を一体化させることによっても形成することができる。さらに、各実施の形態間における構成の流用、転用、組み合わせ等も自由である。また、ヘッダー１０の接続口１０ａの数も適宜に選択されてよく、例えば、５連に限らず３連であってもよく１０連であってもよい。
【図面の簡単な説明】
【００４７】
【図１】（ａ）は本発明の実施の形態１に係るベースプレートにヘッダーが一体化された状態を想定した平面図、（ｂ）は正面図、（ｃ）は側面図である。
【図２】（ａ）は同締結バンドの平面図、（ｂ）は正面図、（ｃ）は側面図である。
【図３】（ａ）は同ベースプレートの平面図、（ｂ）は正面図、（ｃ）は側面図である。
【図４】（ａ）は同異なるベースプレートの平面図、（ｂ）は正面図、（ｃ）は側面図である。
【図５】（ａ）は本発明の実施の形態２に係るベースプレートにヘッダーが一体化された状態を想定した平面図、（ｂ）は正面図、（ｃ）は側面図である。
【図６】（ａ）は同締結バンドの平面図、（ｂ）は正面図、（ｃ）は側面図である。
【図７】（ａ）は同ベースプレートの平面図、（ｂ）は正面図、（ｃ）は側面図である。
【図８】（ａ）は同異なるベースプレートの平面図、（ｂ）は正面図、（ｃ）は側面図である。
【図９】（ａ）は同異なる締結バンドの平面図、（ｂ）は正面図、（ｃ）は側面図である。
【図１０】（ａ）は同さらに異なる締結バンドの平面図、（ｂ）は正面図、（ｃ）は側面図である。
【図１１】（ａ）は同ヘッダーを固定した別の締結バンドの側面図、（ｂ）はさらに別の締結バンドの側面図である。
【図１２】（ａ）は本発明の実施の形態３に係る締結バンドの平面図、（ｂ）は正面図、（ｃ）は側面図である。
【図１３】（ａ）は同異なる締結バンドの平面図、（ｂ）は側面図、（ｃ）は正面図である。
【図１４】（ａ）は同ベースプレートにヘッダーが一体化された状態を想定した平面図、（ｂ）は正面図、（ｃ）は側面図である。
【図１５】（ａ）は同ヘッダーが一体化されたベースプレートを天井に取り付けた状態を想定した正面図、（ｂ）は底面図、（ｃ）は側面図である。
【図１６】（ａ）は同仮置き部材の正面図、（ｂ）は平面図、（ｃ）は側面図である。
【図１７】（ａ）は本発明の実施の形態４に係る締結バンドの平面図、（ｂ）は正面図、（ｃ）は底面図、（ｄ）は側面図である。
【符号の説明】
【００４８】
１…ベースプレート、２，２１，２２…締結バンド、２ａ，２１ａ，２２ａ…押え部、２ｂ…脚部、２ｃ…折返部、２ｄ…上向係止片、３…係止孔、３１…第１係止孔、３２…第２係止孔、６…係止爪、７ａ…被係止部、１０…ヘッダー、１０ａ…接続口、１２…仮置き部材、１２ａ…係止部
【図１】
2006336411.tif 000003
【図２】
2006336411.tif 000004
【図３】
2006336411.tif 000005
【図４】
2006336411.tif 000006
【図５】
2006336411.tif 000007
【図６】
2006336411.tif 000008
【図７】
2006336411.tif 000009
【図８】
2006336411.tif 000010
【図９】
2006336411.tif 000011
【図１０】
2006336411.tif 000012
【図１１】
2006336411.tif 000013
【図１２】
2006336411.tif 000014
【図１３】
2006336411.tif 000015
【図１４】
2006336411.tif 000016
【図１５】
2006336411.tif 000017
【図１６】
2006336411.tif 000018
【図１７】
2006336411.tif 000019